(57)【要約】【課題】排紙装置の領域に蓄積する埃や蒸気、特に有機媒材の蒸気を含んだ空気を特に効果的に排出するための解決法を明らかにし、それを可能にすることである。【解決手段】構枚葉紙加工機の排紙装置のための吸引機構であって、排紙装置内に形成された枚葉紙パイル（ＢＳ）の側方上縁領域から空気を吸引するためのものであり、側方上縁領域に対向するとともに枚葉紙パイルの長手方向に延在する除去開口部を有する空気除去装置を備え、除去開口部は長手方向溝穴開口部（８）として形成されており、チェーンレール（２）の下部領域に隣接する領域に延在する。【選択図】図１
2008018725.tif 000002
【特許請求の範囲】
【請求項１】
枚葉紙加工機の排紙装置のための吸引機構であって、前記排紙装置内に形成された枚葉紙パイル（ＢＳ）の側方上縁領域から空気を吸引するための吸引機構であり、
側方上縁領域に対向するとともに枚葉紙パイルの長手方向に延在する除去開口部を有する空気除去装置を備えた吸引機構において、
前記除去開口部は長手方向溝穴開口部（８）として形成されており、チェーンレール（２）の下部領域に隣接する領域に延在することを特徴とする吸引機構。
【請求項２】
前記長手方向溝穴開口部（８）は、前記チェーンレール（２）の下縁に対して平行に延在する細長い吸引ノズルとして形成されていることを特徴とする請求項１に記載の吸引機構。
【請求項３】
前記空気除去装置は、吸引機構に接続されているボックス状部材によって形成されていることを特徴とする請求項１または２のいずれか１項に記載の吸引機構。
【請求項４】
前記吸引ノズルは成型部材によって形成されており、該成型部材は押し出し成形部材として実現されていることを特徴とする請求項２に記載の吸引機構。
【請求項５】
前記吸引ノズルは前記チェーンレール（２）の外面によって、前記ボックス状部材または成型部材の内面との協働により形成されていることを特徴とする、請求項２から４のいずれか１項に記載の吸引機構。
【請求項６】
前記吸引ノズルの形成は、前記吸引ノズルのノズル開口部の長手方向下縁（６）が、前記チェーンレール（２）の長手方向内縁および長手方向下縁をそれ自体が含む垂直面に延在するか、または、少なくとも垂直面の領域に延在するように行われることを特徴とする請求項１から５のいずれか１項に記載の吸引機構。
【請求項７】
前記成型部材の内部領域に内溝が形成されており、該内溝を介して前記長手方向溝穴開口部を介して流入する空気の吸引が行われることを特徴とする請求項１から６のいずれか１項に記載の吸引機構。
【請求項８】
前記長手方向溝穴開口部（８）の間隙の大きさは調整可能に可変であることを特徴とする請求項１から７のいずれか１項に記載の吸引機構。
【請求項９】
前記吸引ノズルの前記内溝に向かって進行する部分の内部領域に、前記長手方向溝穴開口部（８）を介して流入する空気を前記内溝内部における流れ方向に向けるためにガイド羽根車部材が設けられていることを特徴とする、請求項１から８のいずれか１項に記載の吸引機構。
【請求項１０】
前記チェーンレール（２）の近傍に延在する前記吸引ノズルはさらなる吸引溝装置と組み合わせて設けられ、該吸引溝装置もまた、それ自体で側方に流出する空気を吸引するために用いられることを特徴とする請求項１から９のいずれか１項に記載の吸引機構。
【請求項１１】
前記内溝の内部領域からの空気の排出は、枚葉紙搬送方向（ＢＬＲ）において下流に設けられた前記ボックス状部材または成型部材の端部領域において行われることを特徴とする請求項１から１０のいずれか１項に記載の吸引機構。
【発明の詳細な説明】
【技術分野】
【０００１】
本発明は、枚葉紙印刷機の排紙装置のための吸引機構に関する。ここで、本発明は特に枚葉紙パイルの側方上縁領域から空気を吸引するための吸引機構に関する。このような吸引機構は通常、空気除去装置を有し、空気除去装置は枚葉紙パイルの側方上縁領域の近傍に延在するとともに、枚葉紙パイルの長手方向に配設された除去開口部を有している。これらの除去開口部を介して、枚葉紙パイルの側方に流出する空気の少なくとも一部が捕捉される。
【背景技術】
【０００２】
特にパウダースプレー装置を用いるとき、およびニス加工を行うときには、埃や有機化合物を含んだ空気を印刷機の周囲から分離する必要がある。知られている枚葉紙印刷機においてこのような分離は、特に排紙装置の領域において汚染された排気を吸引することによって実現される。このような吸引は送気装置を用いて行われ、このとき比較的大きな空気流が排紙装置の領域から吸引される。
非特許文献１から、臭気によるトラブルを除去するためのエア＝クリーン＝システムが知られている。枚葉紙印刷機の排紙装置には、このために相応のガイド装置を備えた吸引装置が設けられている。ガイド装置として、枚葉紙の排紙装置の周面全体に空気遮断部と、吸引流路とが設けられている。
吸引装置を用いることにより、ガイド装置を介してパウダーや臭いで汚染された空気を、排紙装置から排出が行われる前に吸引することができるので、作業者が蒙る障害は軽減される。しかしながらこのような装置の構成はコストが嵩み、必要とされる効果を実現するために広い面積で吸引を行うことから、出力が大きくなる。しかも排紙装置に取り付けるという基本構想のために、このような装置は効率があまり良くない。
【非特許文献１】「リポート（Report）」、第１８／２００１号、ｐ２６−２７
【発明の開示】
【発明が解決しようとする課題】
【０００３】
本発明の課題は排紙装置の領域に蓄積する埃や蒸気、特に有機媒材の蒸気を含んだ空気を特に効果的に排出するための解決法を明らかにし、それを可能にすることである。
【課題を解決するための手段】
【０００４】
このような課題は本発明により、枚葉紙加工機の排紙装置のために設けられ、枚葉紙パイルの左右の側方上縁領域から、空気除去装置によって空気を吸引するための吸引装置によって解決される。空気除去装置は、側方上縁領域に対向するとともに枚葉紙パイルの長手方向に延在する除去開口部を有し、このような吸引装置は除去開口部が長手方向溝穴開口部として形成されており、チェーンレールの下部領域に隣接する領域に延在することを特徴としている。
【０００５】
このように、枚葉紙パイルの上側領域において枚葉紙パイルの側縁に向かって拡大するとともに前記パイルから流出する空気を特に効果的に、かつ、負荷のより小さい空気と混和する前に、すなわち極めて希薄化されない状態でほぼチェーンの高さで捕捉することが好適に可能となる。枚葉紙パイルの上側の高さレベルで空気の除去が行われることによって、汚染された空気が排紙装置の内部領域から周囲に拡散するのを防止することができる。
【０００６】
本発明の特に好適な実施の形態では、枚葉紙パイルの両側のチェーンレールに隣接するところに相応の長手方向溝穴開口部が形成されている。これらの長手方向溝穴開口部は、チェーンレールの下縁に対して平行に設けられた細長い吸引ノズルとして好適に形成されている。
【０００７】
本発明の特に好適な実施の形態によれば、空気除去装置はそれぞれボックス状または縦穴状の構造物として実現されており、空間を節約するように、くわえチェーンレールの背面側領域、すなわち外側に面した後壁領域に取り付けられている。空気除去装置はこのとき特にプラスチック構成部材、特にポリエチレン中空部材として実現することができる。
【０００８】
前記のように空気除去装置をプラスチック中空部材として実現する方法に替わるものとして、空気除去装置を成型部材、特にアルミニウム押し出し成形部材として実現することも可能である。さらに、空気除去装置を板曲げ加工部材と組み合わせて実現することも可能である。
【０００９】
吸引ノズルの形成は、成型部材の内面と共同しながら、チェーンレールの外面が直接的に形成するという形で行われる。このとき成型部材は相応の離間部材を介してチェーンレール本体に直接的に固定されていてよい。
【００１０】
空気除去装置を以下のように形成することができる。すなわち、空気除去装置のノズル開口部の長手方向下縁が、チェーンレールの長手方向内縁および下縁を含む垂直面に設けられるように形成するのである。これによって吸引ノズルは、くわえ機構が通過する排紙装置の搬送空間に吸引ノズルが直接的に取り付けられ、それによって枚葉紙パイルの最も上にある枚葉紙と、その上に落下する枚葉紙との間の中間領域から側方に拡がる空気を特に効果的に吸引できるように、形成されている。
【００１１】
本発明の特に好適な実施の形態において吸引装置の形成は、溝部材もしくは成型部材の内部領域に内溝が形成されるように行われ、この内溝を介して、長手方向溝穴開口部を介して流入する空気が直接的に吸引される。吸引装置の形成は、長手方向溝穴開口部の溝の大きさを、例えば成型部材の相応の壁部を弾性変形させることによって調整可能に可変とするように行うことができる。
【００１２】
内溝に向かって進行する吸引ノズルの中間部の内部領域に、例えば湾曲された翼板によって、ガイド羽根車部材を設けることができる。ガイド羽根車部材は、長手方向溝穴開口部を介して流入する空気の方向を変えるために用いられる。このような方向転換は、流入する空気がほぼ９０°方向を変えられ、しかも内溝の内部領域で調整される流れの方向に行われる。
【００１３】
本発明に係るチェーンレールの直近に形成された吸引ノズルは好適に、さらなる吸引流路装置と組み合わせたり、場合によっては遮断型空気ノズルと連結して用いることもできる。本発明に係る吸引装置を介して除去される空気を、まだ排紙装置の領域にある状態で、フィルター装置を介してガイドし、それによって、吸引される空気とともにもたらされるパウダー粒子の少なくとも大部分を捕捉することができる。
【００１４】
本発明に係る吸引装置は好適に、吸引された空気の排出が、空気除去構造物の端部領域に設けられた内溝の内部領域から行われるように形成されている。この内部領域は、排紙装置の枚葉紙搬送方向に対して下流に設けられている領域にある。
【００１５】
本発明のさらなる詳細と特徴を、図面に関連させて以下に説明する。図面に示すのは以下のとおりである。
【発明を実施するための最良の形態】
【００１６】
図１に示す斜視図による詳細図は、枚葉紙印刷機のための排紙装置の側方領域を、排紙装置保護部を取り外した状態で示している。この図において、排紙装置によって形成された枚葉紙パイルＢＳと、排紙装置の側方フレーム領域１とが認められる。このフレーム領域１には、くわえチェーンのガイドに用いられるチェーンレール２が設けられている。排紙装置の側方領域には吸引装置３が取り付けられており、吸引装置は本図の実施の形態ではボックス状の構造体として形成されるとともに接続管４を備えており、この接続管を介して、吸引装置と機械側の吸引機構との接続が可能となる。吸引装置は、下方に設けられた長手方向壁部５を有し、この長手方向壁部５によってチェーンレール２の下方壁部に凹所が形成され、チェーンレール２の下方壁部と協働して長手方向溝穴開口部８を画定する。この長手方向溝穴開口部８は空気除去開口部として機能し、この空気除去開口部を介して、場合によって生じうる、パイルの上面の高さにおいて側方に流出する汚染された空気を、チェーンレールのすぐ下方で吸引装置３の内部領域に吸引することができる。
【００１７】
本図に示す実施の形態において吸引装置は、薄板材料からなる中空部材として作られている。吸引装置はまた、プラスチック材料から、特にポリエチレンなどのプラスチック材料を用いて内部圧力によって吹込成形を行うことにより製造することができる。吸引装置はさらに、成型部材、特にアルミニウム押し出し成形部材から製造することもできる。長手方向壁部５は、枚葉紙パイルＢＳに向かって設けられている長手方向前縁６が、チェーンレール２の長手方向下縁および長手方向内縁によって画定されている垂直面内に延在するか、少なくとも当該垂直面の近傍に延在するように下方からチェーンレール２に取り付けられている。本図に示す実施の形態では、吸引装置３は接続管４が排紙装置の前方正面領域に向かってずらされて設けられた状態で形成され、それによって吸引装置の内部領域において顕著である流れの方向はほぼ枚葉紙搬送方向ＢＬＲと一致する。
【００１８】
吸引装置３はまた、本図では詳細に示されていない排紙装置のハウジングによって、吸引装置を完全に被覆できるように形成されている。本発明に係る吸引装置３は、同様に枚葉紙パイルの側方および表側から流出する空気を排出するために用いられるさらなる空気除去構造体と組み合わせて用いることができる。吸引装置３を介して、特に接続管４を介して排出された空気を、フィルター装置を介してガイドし、濾過された空気を特にパウダー装置の領域において再び排紙装置に供給することが可能である。これによって、強く汚染された空気に対して、極めて閉鎖性の高い循環経路が排紙装置内部に作られる。
【００１９】
図２では、前記のように図１に関連して説明した枚葉紙印刷機の排紙装置領域を、別の角度から見たものが示されている。本図から明らかなように、チェーンレール２の下方領域には、下方に設けられた長手方向壁部５によって凹所が形成され、それによってチェーンレール２との協働によって、チェーンレール２に沿ってすぐ近くに延在する長手方向溝穴開口部が形成される。このような長手方向溝穴開口部を介して、図に矢印で示すとおり、印刷された枚葉紙が連続的に枚葉紙パイルＢＳに降下される際に、側方に流出する空気を吸引することができる。本発明に係る吸引装置は、排紙装置の側方領域に相応に設けられた凹所に吸引装置がほぼ完全に埋め込まれて収容できるように形成されている。本図には左の吸引装置の構造が示されているが、これに対応する吸引装置は本図に詳しく示されていない排紙装置の右の側方領域にも好適に設けられている。
【００２０】
図３から明らかなように、本発明に係る排紙装置は枚葉紙パイルＢＳの最上層が常に、側方に設けられた紙そろえ装置７の下縁によって、および、本発明に係る長手方向溝穴開口部８によって規定されている高さにほぼ設けられるように好適に運転される。
【００２１】
本発明に係る吸引装置の形成は以下のように行うことも可能である。すなわち小さい版型幅を加工するとき、長手方向壁部５の下部に延長部材を取り付けることができ、この延長部材は枚葉紙パイルＢＳとチェーンレール２との間に存在する空間を下方に向かって覆うものである。この延長部材は特に透明かつ比較的剛性の大きな弾性材料から製造されていてよい。このような付加的被覆部材は可動、特に回動可能に長手方向壁部５の下部に固定されていてよく、必要に応じて枚葉紙パイルＢＳに向かって回動させることができる。
【００２２】
本発明に係る吸引装置によって、連続的に行われる枚葉紙の降下において、枚葉紙パイルの側方上部領域から流出する粒子を含んだ空気の大部分を吸引することが可能となる。汚染された空気をパイルの極めて近くで吸引することによって、パウダー粒子および場合によって生じうる蒸気を特に効果的に吸引することが可能となる。本発明に係る吸引装置をチェーンレールの長手方向下縁領域に直接的に取り付けることによって、枚葉紙パイルへのアクセスを妨げることのない吸引ノズル装置を実現することができる。本発明に係る吸引装置は全体として比較的場所を取らず、極めてわずかな製造コストで実現することができる。
【００２３】
本発明に係る吸引装置において、吸引ノズルは細長い溝として実現され、下方チェーンレールのすぐ下方にチェーンレールに沿って延在する。このように形成された吸引ノズルは、枚葉紙パイルＢＳに対向する内側の長手方向縁が、チェーンレールの縁にまで至る奥行きを有するように実現される。本発明に係る吸引装置によって空気はほぼチェーンレールの下方領域から吸引される。吸引ノズルをこのように形成かつ配置することによって、パイル縁を介して流出する空気の大部分をこのような吸引ノズルを介して直接的に排出できるという有利点が得られる。
【００２４】
ノズルの長手方向溝穴は、パイル縁の高さまたはパイル縁よりもわずかに上方の高さにあるように設けられるのが好適である。これによって吸引方向はパイル縁に対してほぼ垂直となり、それによってこの領域における自然な流出方向とも一致する。このような効果のために、本発明に係る吸引装置によって降下プロセスが妨げられることはない。というのも本発明に係る吸引装置は、下降する枚葉紙と枚葉紙パイルの最上層との間に封入される空気を支援する傾向を有するので、本願に係る吸引装置は枚葉紙の下降をも促進する。
【００２５】
側方に紙そろえ装置を用いるときは、紙そろえ装置の位置と本発明に係る長手方向溝穴開口部の位置とを調整することが可能であり、それによって長手方向溝穴開口部が、側方に設けられた紙そろえ装置の長手方向縁の高さにほぼ対応して設けられる。吸引装置を本発明のように形成することによって、枚葉紙パイルへのアクセスが妨げられず、かつ、枚葉紙パイルＢＳを操作するために使用可能な運動空間を狭めることなく、枚葉紙パイルから側方に流出する汚染された空気を効率的に排出することが可能となる。本発明に係る吸引装置は好適に排紙装置の側方構造体内に直接的に取り付けられ、一般的な排紙装置保護部によって完全に囲繞されている。
【００２６】
本発明に係る吸引装置は特に好適な方法でパイル交換のためのノンストップ装置と組み合わせて用いることができる。これは本発明に係る吸引ノズルの配置によって、ノンストップ装置を挿入するために必要とされる運動空間が制限されず、そのために相応の構成部材群が互いに抵触しえないという理由による。本発明に係る吸引装置によって、流体技術上特に好適な方法で、場合によって生じる汚染された排気を、この排気が周囲の空気との更なる混和によって希薄化される前に、効率的に排出することが可能となる。
【図面の簡単な説明】
【００２７】
【図１】本発明に係る吸引装置の長手方向溝穴開口部の位置を示すための枚葉紙印刷機のための排紙装置の部分斜視図である。
【図２】本発明に係る吸引装置のさらなる図示のための図１による排紙装置の斜視図である。
【図３】本発明に係る吸引装置の基本構造を表すための概略図である。
【符号の説明】
【００２８】
１  フレーム領域
２  チェーンレール
３  吸引装置
４  接続管
５  長手方向壁部
６  長手方向前縁
７  紙そろえ装置
８  長手方向溝穴開口部
ＢＳ  枚葉紙パイル
ＢＬＲ  枚葉紙搬送方向
【図１】
2008018725.tif 000003
【図２】
2008018725.tif 000004
【図３】
2008018725.tif 000005